(57)【要約】【課題】保守対象とする乗客コンベア１の情報収集後に、収集データの活用を良好に行うことが可能な乗客コンベア１の保全情報収集システムを提供すること。【解決手段】実施形態の乗客コンベア１の保全情報収集システムは、無線通信端末６０と、乗客コンベア１の保全情報収集装置４０と、情報監視サーバ７０と、を備える。保全情報収集装置４０は、乗客コンベア１の保全情報を記憶し、記憶した保全情報を無線通信端末６０へ送信する。無線通信端末６０は、保全情報収集装置４０から保全情報を受信して表示部に表示させ、乗客コンベア１の点検結果と共に保全情報を情報監視サーバ７０へ送信する。情報監視サーバ７０は、点検結果及び保全情報に基づいて過去の点検結果と過去の保全情報と比較した分析結果を無線通信端末６０へ送信する。無線通信端末６０は、情報監視サーバ７０から分析結果を受信して表示部に表示させる。【選択図】図１
2015168551.tif 000002
【特許請求の範囲】
【請求項１】
無線通信端末と、前記無線通信端末と通信可能に接続された乗客コンベアの保全情報収集装置と、前記無線通信端末と通信可能に接続された情報監視サーバと、を備えた乗客コンベアの保全情報収集システムにおいて、
前記保全情報収集装置は、
前記乗客コンベアの動作状態が変化するごとに前記動作状態の情報を前記乗客コンベアの保全情報として記憶すると共に、前記乗客コンベアの安全回路が作動した場合に前記安全回路が作動した時間と前記安全回路の作動時の前記動作状態との情報を前記保全情報として記憶する記憶部と、
前記無線通信端末との間で無線通信可能に設けられると共に、前記記憶部で記憶した前記保全情報を前記無線通信端末に送信可能な無線通信部と、
を備え、
前記無線通信端末は、
前記保全情報収集装置と前記無線通信部を介して無線通信を行い、前記保全情報収集装置の前記記憶部に記憶された前記保全情報を受信して表示部に表示させ、入力操作部を介して入力される前記保全情報に基づく前記乗客コンベアの点検結果と共に、前記保全情報を前記情報監視サーバへ送信し、前記情報監視サーバから前記点検結果及び前記保全情報に基づく分析結果を受信して前記表示部に表示させ、
前記情報監視サーバは、
前記無線通信端末から送信される前記点検結果及び前記保全情報に基づいて、前記情報監視サーバに記憶された過去の点検結果及び保全情報と比較した前記分析結果を前記無線通信端末へ送信することを特徴とする乗客コンベアの保全情報収集システム。
【請求項２】
前記分析結果は、
前記点検結果に含まれる点検項目のうち不備がある項目、及び、前記保全情報のうち経過観察が必要な項目のうち少なくとも１つを含むことを特徴とする請求項１に記載の乗客コンベアの保全情報収集システム。
【請求項３】
前記情報監視サーバは、
前記無線通信端末から送信される前記点検結果と、前記情報監視サーバに記憶された前記過去の点検結果とを比較して、前記過去の点検結果では点検されているものの、前記無線通信端末から送信された前記点検結果では点検されていない点検項目がある場合、該当する点検項目を、前記乗客コンベアの点検結果に含まれる点検項目のうち不備がある項目として示す前記分析結果を生成することを特徴とする請求項２に記載の乗客コンベアの保全情報収集システム。
【請求項４】
前記情報監視サーバは、
前記無線通信端末から送信される前記保全情報と、前記情報監視サーバに記憶された前記過去の保全情報とを比較して、前記過去の保全情報で変化が起きていたものの、前記無線通信端末から送信された前記保全情報では変化が起きていない項目がある場合、該当する項目を経過観察が必要な項目として示す前記分析結果を生成することを特徴とする請求項２又は３に記載の乗客コンベアの保全情報収集システム。
【請求項５】
前記記憶部は、所定の前記動作状態の情報を継続して記憶することにより、前記安全回路が作動した場合における前記安全回路の作動の前後の前記動作状態の情報を記憶することを特徴とする請求項１〜４のいずれか１項に記載の乗客コンベアの保全情報収集システム。
【請求項６】
前記記憶部は、前記無線通信端末から送信される信号に基づいて、前記動作状態のうち記憶する情報の切り替え及び初期設定を行うことができるように設けられていることを特徴とする請求項１〜５のいずれか１項に記載の乗客コンベアの保全情報収集システム。
【請求項７】
前記無線通信部に接続され、前記無線通信端末との間で無線通信を行うアンテナは、前記乗客コンベアの手摺りベルトの引込み口の近傍に配設されていることを特徴とする請求項１〜６のいずれか１項に記載の乗客コンベアの保全情報収集システム。
【請求項８】
前記無線通信部に接続され、前記無線通信端末との間で無線通信を行うアンテナは、平面型であることを特徴とする請求項１〜７のいずれか１項に記載の乗客コンベアの保全情報収集システム。
【発明の詳細な説明】
【技術分野】
【０００１】
本発明の実施形態は、乗客コンベアの保全情報収集システムに関する。
【背景技術】
【０００２】
従来、乗客コンベアの保守作業において、保守用携帯ツールとして無線通信端末を所持している保守作業員が、保守対象とする乗客コンベアの保全情報収集装置から無線通信を行うことで乗客コンベアの保全情報を収集していた。
【先行技術文献】
【特許文献】
【０００３】
【特許文献１】特開２０１２−１８８２６２号公報
【発明の概要】
【発明が解決しようとする課題】
【０００４】
しかしながら、従来技術においては、保守作業員が、保守対象とする乗客コンベアの情報収集のみを行っており、その後の収集データの活用を十分できていなかった。
【０００５】
本発明は、上記に鑑みてなされたものであって、保守対象とする乗客コンベアの情報収集後に、収集データの活用を良好に行うことが可能な乗客コンベアの保全情報収集システムを提供することを目的とする。
【課題を解決するための手段】
【０００６】
実施形態の乗客コンベアの保全情報収集システムは、無線通信端末と、前記無線通信端末と通信可能に接続された乗客コンベアの保全情報収集装置と、前記無線通信端末と通信可能に接続された情報監視サーバと、を備える。前記保全情報収集装置は、記憶部と、無線通信部と、を備える。前記記憶部は、前記乗客コンベアの動作状態が変化するごとに前記動作状態の情報を前記乗客コンベアの保全情報として記憶すると共に、前記乗客コンベアの安全回路が作動した場合に前記安全回路が作動した時間と前記安全回路の作動時の前記動作状態との情報を前記保全情報として記憶する。前記無線通信部は、前記無線通信端末との間で無線通信可能に設けられると共に、前記記憶部で記憶した前記保全情報を前記無線通信端末に送信可能になっている。前記無線通信端末は、前記保全情報収集装置と前記無線通信部を介して無線通信を行い、前記保全情報収集装置の前記記憶部に記憶された前記保全情報を受信して表示部に表示させる。また、前記無線通信端末は、入力操作部を介して入力される前記保全情報に基づく前記乗客コンベアの点検結果と共に、前記保全情報を前記情報監視サーバへ送信する。また、前記無線通信端末は、前記情報監視サーバから前記点検結果及び前記保全情報に基づく分析結果を受信して前記表示部に表示させる。前記情報監視サーバは、前記無線通信端末から送信される前記点検結果及び前記保全情報に基づいて、前記情報監視サーバに記憶された過去の点検結果及び保全情報と比較した前記分析結果を前記無線通信端末へ送信する。
【図面の簡単な説明】
【０００７】
【図１】図１は、実施形態に係る保全情報収集装置を備える乗客コンベアの概略図である。
【図２】図２は、図１に示す入出力部と回路接続部との接続状態を示す説明図である。
【図３】図３は、実施形態に係る乗客コンベアの保全情報収集装置の処理手順の概略を示すフロー図である。
【図４】図４は、取得する最新状態の一例を示す説明図である。
【図５】図５は、保存する動作履歴の一例を示す説明図である。
【図６】図６は、実施形態にかかる無線通信端末と情報監視サーバとの処理手順の概略を示すフロー図である。
【発明を実施するための形態】
【０００８】
以下に、本発明に係る乗客コンベアの保全情報収集システムの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【０００９】
〔実施形態〕
図１は、実施形態に係る保全情報収集装置を備える乗客コンベアの概略図である。同図に示す乗客コンベア１は、複数のステップ２と、一対の欄干パネル４と、手摺りベルト６とを有して構成されている。このうち、ステップ２は、乗客コンベア１の利用対象である利用者が乗るものであり、トラス（図示省略）により設定された傾斜角度を有して支持されており、駆動装置（図示省略）により、上下方向の両端に位置する乗降口１０の間を循環移動する。その際に、ステップ２は、外部に面する状態、即ち、外部から視認できる状態では、大部分が階段状の乗り台の形態となって移動することにより、利用者が乗ることが可能になっている。このように設けられるステップ２は、例えばアルミダイカストにより形成されている。
【００１０】
欄干パネル４は、外部に面しているステップ２の移動方向に直交する方向を左右方向とする場合におけるステップ２の左右両側に、複数のステップ２を挟んで対向して設置されている。この欄干パネル４は、例えば透明のガラスやアクリルなどによって形成されている。また、手摺りベルト６は、利用者が手をかけるものであり、欄干パネル４のそれぞれ周縁部に移動可能に巻き付けられ、駆動装置により各ステップ２の移動（移動方向も含む）に同期して移動する。この手摺りベルト６は、ゴムなどによって形成されている。このように設けられる乗客コンベア１は、制御盤（図示省略）に設けられる制御回路２０によって動作を制御可能になっており、制御盤は、乗降口１０の下方に設けられる機械室に設置されている。
【００１１】
また、乗客コンベア１には、作動中の安全性を確保するために、作動している乗客コンベア１を停止させることができる安全回路２２が設けられている。乗客コンベア１には、複数の箇所に、作動時における安全度が低減する状態を、その場所に応じた手法で検出する装置である安全装置２４が設けられており、安全回路２２は、この安全装置２４に接続されている。例えば、欄干パネル４の周縁部に沿って移動する手摺りベルト６の引込み口であるベルト引込口８には、ベルト引込口８に利用者の手や異物が挟まった場合に、これらを検出する安全装置２４であるベルト引込口安全装置（図示省略）が設けられており、安全回路２２は、このベルト引込口安全装置にも接続されている。ベルト引込口安全装置に接続されている安全回路２２は、ベルト引込口８に異物等が挟まったことをベルト引込口安全装置で検出した場合には、制御回路２０に対して制御信号を送信することにより、制御回路２０を介して乗客コンベア１を停止させる。
【００１２】
また、乗客コンベア１には、作動時における各種の情報を収集する保全情報収集装置４０が備えられている。この保全情報収集装置４０は、制御盤等と同様に、乗客コンベア１の通常の使用状態では外部からは視認できないように配設されている。このように設けられる保全情報収集装置４０は、入出力部４２と、記憶部４４と、制御部４６と、無線通信部４８と、アンテナ５０と、電源回路５２とを有して構成されている。このうち、入出力部４２は、乗客コンベア１の制御回路２０や安全回路２２における電気的な接続部分である回路接続部２６に接続されており、回路接続部２６を介して安全回路２２や制御回路２０との間で電気信号の送受信が可能になっている。
【００１３】
また、アンテナ５０は、ベルト引込口８の近傍に配設されていると共に無線通信部４８に接続されており、無線通信部４８は、外部の無線通信端末６０との間で無線通信によって、情報の送受信を行うことが可能になっている。また、記憶部４４は、回路接続部２６を介して入出力部４２で受信した安全回路２２や制御回路２０からの情報や、無線通信部４８で受信した無線通信端末６０からの情報を記憶することが可能になっている。また、制御部４６は、保全情報収集装置４０の各部を制御することにより、例えば、入出力部４２や無線通信部４８での情報の送受信の制御や、記憶部４４への情報の記憶、及び記憶部４４に記憶された情報の呼び出しの制御を行う。
【００１４】
また、電源回路５２は、保全情報収集装置４０の外部の電源（図示省略）に接続されており、電源から供給された電力を、保全情報収集装置４０で使用する電圧や電流に変換して、保全情報収集装置４０の各部に供給する。
【００１５】
また、保全情報収集装置４０の無線通信部４８との間で無線通信を行う無線通信端末６０は、人が携帯できる程度の大きさになっており、人が入力操作を行うことができる入力操作部、情報を表示することができる表示部、外部機器との間で無線通信によって情報の送受信を行うことができる無線通信部、各種情報を記憶する記憶部を少なくとも備える。このため、無線通信端末６０に対して所定の入力操作を行うことにより、必要に応じて保全情報収集装置４０に制御指令等の情報を送信したり、保全情報収集装置４０から乗客コンベア１の動作状態等の情報を受信して表示部で表示したりすることが可能になっている。
【００１６】
また、無線通信端末６０は、保全情報収集装置４０の他、外部の情報監視サーバ７０との間で無線通信によって、情報の送受信を行うことが可能になっている。このため、無線通信端末６０に対して所定の入力操作を行うことにより、必要に応じて無線通信端末６０から情報監視サーバ７０に、乗客コンベア１の保全情報に基づく乗客コンベア１の点検結果等の情報を送信したり、情報監視サーバ７０から乗客コンベア１の点検結果に対する分析結果等の情報を受信して表示部で表示したりすることが可能になっている。
【００１７】
また、無線通信端末６０との間で無線通信を行う情報監視サーバ７０は、制御部と記憶部と無線通信部とを少なくとも備える。情報監視サーバ７０の制御部は、無線通信端末６０から受信した情報や記憶部に記憶された各種情報に基づいて分析を行う。例えば、情報監視サーバ７０の制御部は、無線通信端末６０から送信される乗客コンベア１の点検結果及び保全情報に基づいて、情報監視サーバ７０の記憶部に記憶された乗客コンベア１の過去の点検結果及び保全情報と比較した分析結果を生成する。この分析結果は、例えば、乗客コンベア１の点検結果に含まれる点検項目のうち不備がある項目、及び、乗客コンベア１の保全情報のうち経過観察が必要な項目のうち少なくとも１つを含む。情報監視サーバ７０の記憶部は、無線通信端末６０から受信した情報や、制御部が行った分析結果等を記憶する。情報監視サーバ７０の制御部は、無線通信部を制御して、無線通信によって分析結果等の情報を無線通信端末６０へ送信したり、無線通信端末６０から乗客コンベア１の点検結果や乗客コンベア１の保全情報等の情報を受信したりする。
【００１８】
このように、本実施形態に係る乗客コンベア１の保全情報収集システムは、無線通信端末６０と、無線通信端末６０と通信可能に接続された乗客コンベア１の保全情報収集装置４０と、無線通信端末６０と通信可能に接続された情報監視サーバ７０と、を備えて構成されている。ここで、上述したように保全情報収集装置４０は、入出力部４２が回路接続部２６に接続されることにより、乗客コンベア１の動作状態の情報を乗客コンベア１の保全情報として取得することが可能になっている。次に、この入出力部４２と回路接続部２６との接続について説明する。
【００１９】
図２は、図１に示す入出力部と回路接続部との接続状態を示す説明図である。入出力部４２と回路接続部２６とは、電気的な接続が可能な接続コード３６によって接続されている。回路接続部２６において接続コード３６が接続されている部分、即ち、入出力部４２と接続されている部分の一例を示すと、接続コード３６は、回路接続部２６の安全回路端子３０や、制御回路端子３２、制御回路接点３４等に接続されている。
【００２０】
このうち、安全回路端子３０は、安全回路２２が作動する際におけるリレーの作動状態に応じて、流れる電気の状態が変化する端子になっている。同様に、制御回路端子３２は、制御回路２０が作動する際におけるリレーの作動状態に応じて、流れる電気の状態が変化する端子になっている。また、制御回路接点３４は、駆動装置で用いられるモータ（図示省略）に供給する電気の通電と遮断とを切り替えるコンタクタの接点になっており、モータの作動状態に応じて流れる電気の状態が変化する端子になっている。
【００２１】
これらのように、入出力部４２は、制御回路２０や安全回路２２の電気経路に割り込む状態で、これらの回路に流れる電気の状態を取得し、制御回路２０や安全回路２２の作動状態を取得することが可能になっている。
【００２２】
この実施形態に係る乗客コンベア１の保全情報収集装置４０は、以上のごとき構成からなり、以下、その作用について説明する。乗客コンベア１を作動させる場合には、安全装置２４での検出状態に基づいて安全回路２２によって乗客コンベア１の各部の状態を監視しながら、制御回路２０で駆動装置を制御することにより、乗客コンベア１を作動させる。
【００２３】
また、このように乗客コンベア１を作動させている場合には、回路接続部２６を介して制御回路２０や安全回路２２に接続されている保全情報収集装置４０の入出力部４２で、制御回路２０や安全回路２２からの信号を取得し、この信号に基づいて乗客コンベア１の作動状態の情報を継続的に取得する。さらに、このように取得した作動状態の情報のうち、乗客コンベア１の動作履歴として保存の対象になる情報を、動作履歴として記憶部４４に保存する。このように、動作履歴として保存する情報としては、制御回路２０で制御する乗客コンベア１の作動状態の情報と、安全回路２２の作動状態の情報とを、必要に応じて適宜保存する。
【００２４】
乗客コンベア１の運転中は、このように動作履歴が保存されながら作動するが、安全回路２２が作動した場合には、動作が停止する場合がある。例えば、ベルト引込口８に設けられる安全装置２４であるベルト引込口安全装置が、ベルト引込口８に異物が挟まったことを検知した場合には、この検知状態を安全回路２２で取得し、安全回路２２から制御回路２０に制御信号を伝達することにより、乗客コンベア１を停止させる。この場合には、動作履歴には、安全回路２２の信号に基づく情報と、制御回路２０の信号に基づく情報とが記憶される。
【００２５】
乗客コンベア１が停止した場合には、乗客コンベア１の保守を行う作業者が、停止した原因を究明し、この停止の原因となる事象を取り除いてから乗客コンベア１の再起動を行うが、停止した原因を究明する場合には、保全情報収集装置４０の記憶部４４に記憶されている動作履歴を確認する。これにより、停止時の乗客コンベア１の作動状態と、安全回路２２の作動状態とを把握し、停止した原因を突き止めると共に、停止した原因を取り除き、乗客コンベア１を運転可能な状態にする。
【００２６】
乗客コンベア１が停止した場合には、このように動作履歴を確認するが、動作履歴を確認する場合には、無線通信端末６０によって行う。つまり、無線通信端末６０は、保全情報収集装置４０の無線通信部４８との間で無線通信を行うことが可能になっているため、動作履歴を確認する場合には、作業者が無線通信端末６０に対して、動作履歴を確認する旨の入力操作を行う。これにより、無線通信端末６０は、保全情報収集装置４０に対して動作履歴を確認する旨の制御信号を無線通信によって送信する。
【００２７】
この信号を、アンテナ５０を介して無線通信部４８で受信した保全情報収集装置４０は、制御部４６で所定の処理を行うことにより、記憶部４４に記憶されている動作履歴を、無線通信部４８を介して無線通信端末６０に送信する。無線通信端末６０では、このように送信された動作履歴を受信し、当該無線通信端末６０が有する表示部で表示することにより、作業者が動作履歴を乗客コンベア１の保全情報として確認することが可能になる。これにより、作業者は、乗客コンベア１の停止時における動作状態の把握が可能になり、再起動を行うための作業を行うことができる。
【００２８】
図３は、実施形態に係る乗客コンベアの保全情報収集装置の処理手順の概略を示すフロー図である。次に、本実施形態に係る保全情報収集装置４０で乗客コンベア１の動作情報を収集する場合における処理手順の概略について説明する。なお、以下の処理は、保全情報収集装置４０で乗客コンベア１の動作情報を収集する際に、所定の期間ごとに呼び出されて実行する。
【００２９】
乗客コンベア１の動作情報を収集する際には、まず、監視モードであるか否かを判定する（ステップＳＴ１０１）。つまり、乗客コンベア１の点検を行う場合は、作業員が乗客コンベア１を停止させたり、必要に応じて任意で作動させたりするため、安全回路２２では乗客コンベア１の動作状態の監視を行わず、点検モードにすることによって安全回路２２が作動しないようにする。このように、安全回路２２が点検モードの場合には、保全情報収集装置４０は乗客コンベア１の動作情報の収集は行わず、安全回路２２のモードが、乗客コンベア１の動作状態を監視するモードである監視モードの場合にのみ、情報の収集を行う。なお、この安全回路２２のモードは、作業員による安全回路２２への入力指示、または、制御回路２０への点検の指示入力に対して連動することにより、切り替えられる。
【００３０】
保全情報収集装置４０では、このように監視モードの場合にのみ情報の収集を行うため、保全情報収集装置４０の制御部４６では、回路接続部２６を介して入出力部４２で取得する安全回路２２からの情報に基づいて、安全回路２２のモードが監視モードであるか否かを判定する。この判定により、安全回路２２のモードは監視モードではないと判定された場合（ステップＳＴ１０１、Ｎｏ判定）、即ち、安全回路２２のモードは点検モードであると判定された場合には、この処理手順から抜け出る。
【００３１】
これに対し、安全回路２２のモードは監視モードであると判定された場合（ステップＳＴ１０１、Ｙｅｓ判定）には、次に、接点は有効であるか否かを判定する（ステップＳＴ１０２）。即ち、制御回路２０で乗客コンベア１を作動させたり、安全回路２２で監視を行ったりする場合には、制御回路２０や安全回路２２が有する複数の接点のうち、所望の状態を実現することができる接点を有効にする。制御部４６では、このように接点が有効であるか否かの判定を介して、乗客コンベア１を所望の作動状態にすることができるか否かの判定を行う。この判定により、接点は無効であると判定された場合（ステップＳＴ１０２、Ｎｏ判定）には、この処理手順から抜け出る。
【００３２】
これに対し、接点は有効であると判定された場合（ステップＳＴ１０２、Ｙｅｓ判定）には、次に、信号は一般であるか否かを判定する（ステップＳＴ１０３）。つまり、保全情報収集装置４０では、乗客コンベア１自体の作動時の信号である一般の信号、即ち、制御回路２０による信号と、安全回路２２の信号との双方の信号を収集することにより、情報を収集する。保全情報収集装置４０では、回路接続部２６を介して入出力部４２によって、これらの信号を受信することにより情報を収集するが、入出力部４２で受信する信号は、このように一般の信号と安全回路２２の信号とがある。このため、制御部４６では、情報を適切に収集するために、受信した信号の種別を判別する。
【００３３】
この判定により、受信した信号は一般の信号であると判定した場合（ステップＳＴ１０３、Ｙｅｓ判定）には、次に、接点チェックを行い、最新状態を保存する（ステップＳＴ１０４）。この場合は、受信した信号は、乗客コンベア１自体の作動時の一般の信号であるため、制御回路２０の接点の状態をチェックすることにより、乗客コンベア１の作動状態の情報を取得する。
【００３４】
ここで、乗客コンベア１の作動状態の情報を取得する際に用いる信号について説明する。図４は、取得する最新状態の一例を示す説明図である。入出力部４２で受信する信号は、制御回路２０による一般の信号と、安全回路２２による信号とに種別が分類されるが、最新状態を保存する場合には、この信号の種別ごとに保存する。
【００３５】
制御回路２０から出力される信号である一般の信号としては、例えば、乗客コンベア１のステップ２を上り方向に移動させる信号（図４：ＵＰ）や、ステップ２を下り方向に移動させる信号（図４：ＤＮ）等の、乗客コンベア１の動作に関する信号がある。さらに、制御回路２０から出力される信号である一般の信号としては、乗客コンベア１が故障しているか否かを示す故障信号（図４：故障１、故障２）や、乗客コンベア１の作動状態を示す状態信号（図４：状態１）等がある。
【００３６】
また、安全回路２２から出力される信号としては、乗客コンベア１の各部に設けられる安全装置２４からの信号に基づいて、乗客コンベア１の安全状態を示す信号（図４：安全回路１、安全回路２）等がある。
【００３７】
また、これらの信号は、回路接続部２６において異なる接点から入出力部４２に出力されるが、回路接続部２６と入出力部４２との接点には、接点ごとに［接点Ｎｏ．］が定められている。このため、入出力部４２で信号を受信した信号に基づいて最新状態を保存する場合には、信号ごとに、各信号の［接点Ｎｏ．」も併せて保存する。
【００３８】
乗客コンベア１の最新状態は、このように入出力部４２で受信した信号に基づいて保存するが、具体的には、信号の状態（ＯＮ／ＯＦＦ）や、故障しているか否かを示す故障信号においては、故障中であるか正常であるかの状態を保存する。乗客コンベア１の最新状態を保存する場合には、回路接続部２６の接点チェックを行い、これらのように、回路接続部２６を介して入出力部４２で取得することができる制御回路２０や安全回路２２の信号の情報に基づいて、記憶部４４に保存する。
【００３９】
最新状態は、このように入出力部４２で取得することができる信号に基づいて保存するが、制御回路２０に関わる接点チェックを行うことにより最新状態を保存したら（ステップＳＴ１０４）、次に、状態変化があるか否かを判定する（ステップＳＴ１０５）。つまり、乗客コンベア１の状態は継続的に保存されているが、今回保存した最新状態と、最新状態を取得する前に保存された乗客コンベア１の状態とを比較し、状態の差があるか否かを判断することにより、状態変化があるか否かを判定する。この判定により、状態変化はないと判定された場合（ステップＳＴ１０５、Ｎｏ判定）には、この処理手順から抜け出る。
【００４０】
これに対し、状態変化があると判定された場合（ステップＳＴ１０５、Ｙｅｓ判定）には、次に、保存した最新状態が履歴保存対象であるか否かを判定する（ステップＳＴ１０６）。つまり、最新状態を保存する場合には、回路接続部２６より取得した全ての情報を一旦保存するが、保全情報収集装置４０で情報を収集する場合には、乗客コンベア１の保全に関わる情報（保全情報）のみを、動作履歴として保存する。動作履歴として保存する情報は、大まかにはステップ２の移動状態に関する情報や、故障の発生情報等の、乗客コンベア１の動作状態を的確に判断することができる情報になっており、制御部４６は、状態変化があると判断された複数の情報について、動作履歴としての保存対象となる情報であるか否かをそれぞれ判定する。
【００４１】
この判定により、状態変化があると判断された情報が履歴保存対象ではないと判定された場合（ステップＳＴ１０６、Ｎｏ判定）には、その情報を動作履歴としては保存せずに、この処理手順から抜け出る。
【００４２】
これに対し、状態変化があると判断された情報が履歴保存対象であると判定された場合（ステップＳＴ１０６、Ｙｅｓ判定）には、判定された情報を動作履歴として保存する（ステップＳＴ１０７）。このように、履歴保存対象であると判定された情報を動作履歴として保存する場合は、保存対象となる情報を時刻と共に記憶部４４に保存する。このように記憶部４４に記憶する動作履歴は、状態変化があると判断された情報のうち、履歴保存対象であると判定された情報であるため、換言すると、記憶部４４は、乗客コンベア１の動作状態が変化するごとに動作状態の情報を記憶する。
【００４３】
図５は、保存する動作履歴の一例を示す説明図である。保存対象となる情報を動作履歴として保存する場合には、例えば、図５に示すように、信号の種類を［接点Ｎｏ．」と共に保存し、その信号の変化内容、即ち、その信号はどのように変化したものであるかを、時刻と共に保存する。この場合、ステップ２の移動方向が情報に関係する場合には、直前の方向も保存する。さらに、動作履歴として保存する情報が、安全回路２２から出力され、乗客コンベア１の安全状態を示す信号（例えば、図５の安全回路１）である場合には、故障が発生しているか否かの状態を示すフラグの状態も、動作履歴として保存する。
【００４４】
このように、保存対象となる情報を動作履歴として保存することにより、乗客コンベア１の保守を行う場合における乗客コンベア１の運転状態の把握に用いる動作履歴を更新したら、この処理手順から抜け出る。
【００４５】
これらに対し、受信した信号は一般の信号ではないと判定した場合（ステップＳＴ１０３、Ｎｏ判定）、つまり、受信した信号は安全回路２２からのものであると判定した場合には、次に、接点チェックを行い、最新状態を保存する（ステップＳＴ１０８）。この場合は、受信した信号は、安全回路２２からの信号であるため、安全回路２２の接点の状態をチェックすることにより、安全回路２２の作動状態の情報を取得する（図４参照）。
【００４６】
次に、安全回路２２の動作後、保存タイミングであるか否かを判定する（ステップＳＴ１０９）。つまり、安全回路２２は、制御回路２０とは異なり、主に乗客コンベア１の運転時に不具合が発生した場合に動作をするので、動作履歴として保存する情報量は、制御回路２０から出力される信号に基づく情報量より少なくなっている。このため、安全回路２２の動作履歴を保存する処理手順に到達した場合でも、安全回路２２は変化していない場合が多くなることが考えられる。従って、安全回路２２の情報の一部を動作履歴として保存する場合には、安全回路２２が動作し、保存タイミングになったか否かを確認する。これにより、保存する情報が無い状態での動作履歴に関する処理手順の実行を抑制し、処理手順を簡略化する。
【００４７】
この判定により、安全回路２２の動作後、保存タイミングではないと判定した場合（ステップＳＴ１０９、Ｎｏ判定）には、この処理手順から抜け出る。
【００４８】
これに対し、安全回路２２の動作後、保存タイミングであると判定した場合（ステップＳＴ１０９、Ｙｅｓ判定）には、保存した最新状態が履歴保存対象であるか否かを判定する（ステップＳＴ１１０）。つまり、制御回路２０から出力された一般の信号に基づく最新状態が履歴保存対象であるか否かを判定する場合（ステップＳＴ１０６）と同様に、安全回路２２からの信号に基づく最新状態が、動作履歴としての保存対象となる情報であるか否かをそれぞれ判定する。
【００４９】
この判定により、安全回路２２からの信号に基づく最新状態の情報が履歴保存対象ではないと判定された場合（ステップＳＴ１１０、Ｎｏ判定）には、その情報を動作履歴としては保存せずに、この処理手順から抜け出る。
【００５０】
これに対し、安全回路２２からの信号に基づく最新状態の情報が履歴保存対象であると判定された場合（ステップＳＴ１１０、Ｙｅｓ判定）には、判定された情報を動作履歴として、時刻と共に記憶部４４に保存する（ステップＳＴ１１１）。安全回路２２が作動した場合には、記憶部４４は、安全回路２２の作動時における乗客コンベア１の作動状態の情報のみでなく、作動した時間を含む安全回路２２の作動情報も動作履歴として記憶する。このため、換言すると、記憶部４４は、安全回路２２が作動した場合には、安全回路２２が作動した時間と、安全回路２２の作動の前後の乗客コンベア１の動作状態との情報を記憶する。つまり、乗客コンベア１の動作状態は、保存対象となる作動状態の情報を継続的に動作履歴として保存するため、安全回路２２の作動時には、安全回路２２の作動情報のみでなく、安全回路２２の作動の前後における乗客コンベア１の動作状態の情報も記憶することになる。
【００５１】
乗客コンベア１の運転中に保全情報収集装置４０で動作履歴を保存する場合は、このように、継続的に取得する最新状態のうち、履歴として必要な情報を適宜選別して保存をする。
【００５２】
作業者は、無線通信端末６０と保全情報収集装置４０との間で無線通信を行うことにより、この動作履歴を乗客コンベア１の保全情報として無線通信端末６０によって確認するが、無線通信端末６０は、保全情報収集装置４０に対して任意の指示を行うことも可能になっている。例えば、動作履歴は、回路接続部２６を介して取得する乗客コンベア１の最新状態のうち、保存対象になると判断された情報が動作履歴として保存されるが、無線通信端末６０は、この保存対象となる情報を設定する、或いは切り替える指示を行うことが可能になっている。
【００５３】
また、乗客コンベア１の運転時間が長くなるに従って動作履歴は増加するため、無線通信端末６０で確認したら記憶部４４に保存されている動作履歴のリセットを行ったり、保全情報収集装置４０に設けられ、動作履歴を保存する際に用いられる時計の時間調整を行ったりするなどの初期設定も、無線通信端末６０で行うことが可能になっている。換言すると、記憶部４４は、無線通信端末６０から送信される信号に基づいて、動作状態のうち記憶する情報の切り替え及び初期設定を行うことができるように設けられている。
【００５４】
作業者は、このように無線通信端末６０を用いて保全情報収集装置４０に対して任意の指示を行ったり、保全情報収集装置４０から情報を受け取ったりすることにより、制御回路２０や安全回路２２を直接確認することなく、乗客コンベア１の保守を行う。
【００５５】
以上の保全情報収集装置４０は、乗客コンベア１の安全回路２２が作動した場合には、作動した時間の情報と共に、安全回路２２の作動時における乗客コンベア１の動作状態の情報を記憶部４４で記憶し、記憶部４４で記憶した情報を、無線通信部４８によって無線通信端末６０に送信可能になっている。これにより、安全回路２２が作動した場合には、乗降口１０の下方の機械室に作業者が入り、機械室に設置されている制御盤等を直接確認することなく、安全回路２２の作動時の乗客コンベア１の状態を、無線通信端末６０によって取得することができる。この結果、適切な動作情報を容易に得ることができる。
【００５６】
また、このように、乗客コンベア１の動作情報を容易に得ることができるため、安全回路２２が作動して乗客コンベア１が停止した場合でも、停止した原因を容易に特定することができる。この結果、乗客コンベア１の停止時に、早期に復旧することができる。
【００５７】
また、機械室に入らなくても乗客コンベア１の動作情報を得ることができるため、乗客コンベア１の管理者自身が、無線通信端末６０で動作情報を確認することができる。このため、容易に再起動が可能な程度の軽微な事象が原因で乗客コンベア１が停止した場合には、乗客コンベア１の管理者が動作情報を確認することにより、管理者によって乗客コンベア１を再起動することができる。この結果、短時間で乗客コンベア１の運転を再開することができる。
【００５８】
また、記憶部４４で動作履歴を記憶し、この動作履歴を外部から無線通信端末６０で容易に取得することができるため、乗客コンベア１の経時的な動作の状態を、容易に取得することができる。この結果、乗客コンベア１の保全作業時の整備時期を、容易に特定することができる。
【００５９】
また、乗客コンベア１の運転時には、保存対象となる情報、即ち、所定の動作状態の情報を動作履歴として継続して記憶部４４で記憶することにより、安全回路２２が作動した場合における安全回路２２の作動の前後の乗客コンベア１の動作状態の情報を記憶するため、安全回路２２が作動した場合の乗客コンベア１の動作状態を、より的確に把握することができる。これにより、安全回路２２が作動した原因や、再起動させるために必要な手段を、より適切に認識することができる。この結果、乗客コンベア１が停止した場合でも、より短時間で運転を再開させることができる。
【００６０】
また、乗客コンベア１の運転時に記憶部４４で記憶する情報の切り替えや、初期設定を無線通信端末６０によって行うことができるため、作業者が機械室に入って制御盤等に対して入力操作を行うことなく、無線通信端末６０を用いて容易に記憶部４４の記憶状態を設定することができる。また、無線通信端末６０を用いて乗客コンベア１の外部から設定を行うことができるため、乗客コンベア１の運転中でも、運転を停止することなく所望の状態に設定することができる。この結果、乗客コンベア１の利用者による乗客コンベア１を利用する機会の損失を発生させることなく、より適切な所望の動作情報を容易に得ることができる。
【００６１】
また、無線通信部４８に接続されているアンテナ５０は、乗客コンベア１のベルト引込口８の近傍に配設されているため、無線通信部４８と無線通信端末６０との間で、より確実に情報の送受信を行うことができる。つまり、アンテナ５０が機械室など、金属の部材で囲まれている空間内に設置された場合、無線通信部４８と無線通信端末６０との間で情報の送受信を行う場合における搬送波である電波は、アンテナ５０の周囲の金属によって遮断され易くなる。この場合、無線通信部４８と無線通信端末６０との間での良好な通信状態を確保することが困難になるため、これらの間での送受信が困難になる場合がある。これに対し、ベルト引込口８は樹脂製である場合が多いため、アンテナ５０をベルト引込口８の近傍に配設した場合には、無線通信部４８と無線通信端末６０との間で通信を行う際に用いる電波は、アンテナ５０の周囲では遮断され難くなるため、アンテナ５０は電波を送受信し易くなる。この結果、無線通信部４８と無線通信端末６０との間で、より確実に情報の送受信を行うことができ、適切な動作情報を、より確実に得ることができる。
【００６２】
また、乗客コンベア１の動作状態を保存する場合には、動作状態のうち履歴保存対象となる動作状態のみ動作履歴として保存するため、保存される動作状態の情報量が多くなり過ぎることを抑制することができる。これにより、安全回路２２の作動時等に、作業者が乗客コンベア１の動作状態を確認する場合に、動作状態を把握し易くすることができる。この結果、適切な動作情報を、より容易に得ることができる。
【００６３】
なお、上述した保全情報収集装置４０では、アンテナ５０はベルト引込口８の近傍に配設することにより通信性を確保しているが、これ以外の手法によって通信性を確保してもよい。例えば、アンテナ５０は、薄いフィルム状等の平面型にして形成してもよい。これにより、欄干パネル４等に密着させてアンテナ５０を設置することができるため、外部からの視認時に目立たせることなく、外部に面して通信を行い易い部分に、アンテナ５０を設けることができる。また、このように、目立たせることなくアンテナ５０を設置することにより、乗客コンベア１の利用者の通行の邪魔にならないように設置することができ、また、いたずら等による破損を防ぐことができる。この結果、乗客コンベア１の外面に設置することに伴う不具合を発生させることなく、通信性を確保することができる。
【００６４】
また、上述した保全情報収集装置４０では、動作履歴として保存をする回数を少なくするために、複数の情報をまとめて保存しているが、１回の保存時における情報量は減らし、保存回数を増加させてもよい。例えば、実施形態に係る保全情報収集装置４０では、情報の保存時には直前のステップ２の移動方向も保存しているが、制御回路２０及び安全回路２２の動作履歴を保存する回数を増加させた場合には、保存されている動作履歴に基づいて直前の状態を把握することができる。このため、この場合は、動作履歴の保存時には、直前の移動方向は保存しなくてもよい。このように、動作履歴の保存形態は、作業者や管理者による任意の形態で保存してもよい。
【００６５】
また、上述した保全情報収集装置４０は、回路接続部２６に保全情報収集装置４０の入出力部４２を接続するのみで、乗客コンベア１の動作状態の情報を無線通信端末６０に送信可能になるため、既存の乗客コンベア１に対して容易に保全情報収集装置４０を接続することができる。これにより、既存の乗客コンベア１で、容易に適切な動作情報を得ることを可能にすることができる。
【００６６】
また、上述した保全情報収集装置４０は、所定の傾斜角度を有する乗客コンベア１に備えられているが、保全情報収集装置４０は、これ以外の乗客コンベアに備えられていてもよい。例えば、保全情報収集装置４０が備えられる乗客コンベアは、傾斜角度を有しない、いわゆるオートロードであってもよい。保全情報収集装置４０は、乗客コンベアの形態に関わらず、安全回路２２の作動時の乗客コンベア１の状態を、無線通信端末６０によって取得することが可能になっていればよく、このように設けることにより、適切な動作情報を容易に得ることができる。
【００６７】
ここで、無線通信端末６０は、乗客コンベア１の点検結果や保全情報を分析する情報監視サーバ７０（図１参照）と通信可能になっているため、無線通信端末６０は、作業者により入力操作部を介して入力される乗客コンベア１の点検結果や、保全情報収集装置４０から受信した乗客コンベア１の保全情報を、情報監視サーバ７０へ伝達する。作業者に入力操作部を介して入力される乗客コンベア１の点検結果は、例えば、「平成２０年国土交通省告示２８３号」で規定された乗客コンベア１の種々の点検項目に対して、「正常を確認」、「整備実施」、「要経過観察」、「要整備」、「未実施」、「対象外」といった検査結果を示したものである。点検結果には、点検中に記録した作業員のメモに対応するテキストデータを含んでもよい。
【００６８】
また、情報監視サーバ７０は、この無線通信端末６０から受信した乗客コンベア１の点検結果や保全情報を記憶部に保存する。情報監視サーバ７０は、無線通信端末６０から送信される乗客コンベア１の点検結果や保全情報に基づいて、情報監視サーバ７０に記憶された乗客コンベア１の過去の点検結果及び保全情報と比較した分析結果を生成する。具体的には、情報監視サーバ７０は、現在の点検結果と過去の点検結果とを比較して、過去の点検結果では点検されているものの、現在の点検結果では点検されていない点検項目がある場合、行った点検に抜けや漏れがあると判定する。そして、情報監視サーバ７０は、該当する点検項目を、乗客コンベア１の点検結果に含まれる点検項目のうち不備がある項目として示す分析結果を生成する。また、情報監視サーバ７０は、現在の保全情報と過去の保全情報とを比較して、過去の保全情報では変化が起きていたものの、現在の保全情報では変化が起きていない項目がある場合、該当する項目を経過観察が必要な項目として示す分析結果を生成する。情報監視サーバ７０は、これらの分析結果を記憶部に保存して蓄積する。また、無線通信端末６０は、情報監視サーバ７０と通信して情報監視サーバ７０に保存されている乗客コンベア１の点検結果及び保全情報に基づく分析結果を受信して、表示部に表示させる。
【００６９】
図６は、実施形態にかかる無線通信端末６０と情報監視サーバ７０との処理手順の概略を示すフロー図である。図６の処理手順は、無線通信端末６０が、図３に示す処理手順で保全情報収集装置４０により収集された保全情報を、無線通信により取得した後に実行されるものである。
【００７０】
図６に示すように、無線通信端末６０は、作業者により入力操作部を介して入力される乗客コンベア１の点検結果が入力済みであるか否かを判定する（ステップＳＴ２０１）。ステップＳＴ２０１において、無線通信端末６０は、点検結果が入力済みではないと判定した場合（ステップＳＴ２０１、Ｎｏ判定）、本処理をリターンする。無線通信端末６０は、点検結果が入力済みであると判定した場合（ステップＳＴ２０１、Ｙｅｓ判定）、ステップＳＴ２０１で入力済みであることを確認した乗客コンベア１の点検結果と共に、保全情報収集装置４０から受信した乗客コンベア１の保全情報を、情報監視サーバ７０へ送信する（ステップＳＴ２０２）。
【００７１】
無線通信端末６０は、ステップＳＴ２０２において情報監視サーバ７０へ送信した乗客コンベア１の点検結果及び保全情報に基づく分析結果を、情報監視サーバ７０から受信したか否かを判定する（ステップＳＴ２０３）。ステップＳＴ２０３において、無線通信端末６０は、分析結果を受信済みではないと判定した場合（ステップＳＴ２０３、Ｎｏ判定）、本処理をリターンする。無線通信端末６０は、分析結果を受信済みであると判定した場合（ステップＳＴ２０３、Ｙｅｓ判定）、情報監視サーバ７０から受信した分析結果を表示部に表示させることで出力する。その後、本処理をリターンする。
【００７２】
このように、本実施形態にかかる乗客コンベア１の保全情報収集システムによれば、乗客コンベア１の保全情報収集装置４０で取得した保全情報を無線通信端末６０により無線通信で収集した際、点検後の情報を、即情報監視サーバ７０側で分析することで、最新の乗客コンベア１の情報が把握できるとともに、当日の点検に抜けや漏れが無いかを確認することが可能となる。具体的には、保全情報収集装置４０に蓄積されていた乗客コンベア１の保全情報と、無線通信端末６０に入力された当日の点検結果が、点検作業後に情報監視サーバ７０に送信され、情報監視サーバ７０側で最新の点検結果と過去の点検結果との比較が即時行われ、行った点検に抜けや漏れが無いか、また経過観察が必要な項目はどこか等の情報を分析結果として無線通信端末６０へ返すことができる。こうすることで、本実施形態にかかる乗客コンベア１の保全情報収集システムによれば、点検後に、その点検の正しさを情報監視サーバ７０側で分析することで、点検に抜けや漏れが無いかを確認することができ、保守復帰ミスや調整ミスによる停止故障を抑制できる。このようにして、保守対象とする乗客コンベア１の情報収集後に、収集データの活用を良好に行うことが可能となる。
【００７３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７４】
１  乗客コンベア
２  ステップ
６  手摺りベルト
８  ベルト引込口
２０  制御回路
２２  安全回路
２４  安全装置
２６  回路接続部
４０  保全情報収集装置
４２  入出力部
４４  記憶部
４６  制御部
４８  無線通信部
５０  アンテナ
６０  無線通信端末
７０  情報監視サーバ
【図１】
2015168551.tif 000003
【図２】
2015168551.tif 000004
【図３】
2015168551.tif 000005
【図４】
2015168551.tif 000006
【図５】
2015168551.tif 000007
【図６】
2015168551.tif 000008
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
無線通信端末と、前記無線通信端末と通信可能に接続された乗客コンベアの保全情報収集装置と、前記無線通信端末と通信可能に接続された情報監視サーバと、を備えた乗客コンベアの保全情報収集システムにおいて、
前記保全情報収集装置は、
前記乗客コンベアの動作状態が変化するごとに前記動作状態の情報を前記乗客コンベアの保全情報として記憶すると共に、前記乗客コンベアの安全回路が作動した場合に前記安全回路が作動した時間と前記安全回路の作動時の前記動作状態との情報を前記保全情報として記憶する記憶部と、
前記無線通信端末との間で無線通信可能に設けられると共に、前記記憶部で記憶した前記保全情報を前記無線通信端末に送信可能な無線通信部と、
を備え、
前記無線通信端末は、
前記保全情報収集装置と前記無線通信部を介して無線通信を行い、前記保全情報収集装置の前記記憶部に記憶された前記保全情報を受信して表示部に表示させ、入力操作部を介して入力される前記保全情報に基づく前記乗客コンベアの点検結果と共に、前記保全情報を前記情報監視サーバへ送信し、前記情報監視サーバから前記点検結果及び前記保全情報に基づく分析結果を受信して前記表示部に表示させ、
前記情報監視サーバは、
前記無線通信端末から送信される前記点検結果及び前記保全情報に基づいて、前記情報監視サーバに記憶された過去の点検結果及び保全情報と比較した前記分析結果を保存して蓄積し、当該分析結果を前記無線通信端末へ送信することを特徴とする乗客コンベアの保全情報収集システム。
【請求項２】
前記分析結果は、
前記点検結果に含まれる点検項目のうち不備がある項目、及び、前記保全情報のうち経過観察が必要な項目のうち少なくとも１つを含むことを特徴とする請求項１に記載の乗客コンベアの保全情報収集システム。
【請求項３】
前記情報監視サーバは、
前記無線通信端末から送信される前記点検結果と、前記情報監視サーバに記憶された前記過去の点検結果とを比較して、前記過去の点検結果では点検されているものの、前記無線通信端末から送信された前記点検結果では点検されていない点検項目がある場合、該当する点検項目を、前記乗客コンベアの点検結果に含まれる点検項目のうち不備がある項目として示す前記分析結果を生成することを特徴とする請求項２に記載の乗客コンベアの保全情報収集システム。
【請求項４】
前記情報監視サーバは、
前記無線通信端末から送信される前記保全情報と、前記情報監視サーバに記憶された前記過去の保全情報とを比較して、前記過去の保全情報で変化が起きていたものの、前記無線通信端末から送信された前記保全情報では変化が起きていない項目がある場合、該当する項目を経過観察が必要な項目として示す前記分析結果を生成することを特徴とする請求項２又は３に記載の乗客コンベアの保全情報収集システム。
【請求項５】
前記記憶部は、所定の前記動作状態の情報を継続して記憶することにより、前記安全回路が作動した場合における前記安全回路の作動の前後の前記動作状態の情報を記憶することを特徴とする請求項１〜４のいずれか１項に記載の乗客コンベアの保全情報収集システム。
【請求項６】
前記記憶部は、前記無線通信端末から送信される信号に基づいて、前記動作状態のうち記憶する情報の切り替え及び初期設定を行うことができるように設けられていることを特徴とする請求項１〜５のいずれか１項に記載の乗客コンベアの保全情報収集システム。
【請求項７】
前記無線通信部に接続され、前記無線通信端末との間で無線通信を行うアンテナは、前記乗客コンベアの手摺りベルトの引込み口の近傍に配設されていることを特徴とする請求項１〜６のいずれか１項に記載の乗客コンベアの保全情報収集システム。
【請求項８】
前記無線通信部に接続され、前記無線通信端末との間で無線通信を行うアンテナは、平面型であることを特徴とする請求項１〜７のいずれか１項に記載の乗客コンベアの保全情報収集システム。
【手続補正２】
【補正対象書類名】明細書
【補正対象項目名】０００６
【補正方法】変更
【補正の内容】
【０００６】
実施形態の乗客コンベアの保全情報収集システムは、無線通信端末と、前記無線通信端末と通信可能に接続された乗客コンベアの保全情報収集装置と、前記無線通信端末と通信可能に接続された情報監視サーバと、を備える。前記保全情報収集装置は、記憶部と、無線通信部と、を備える。前記記憶部は、前記乗客コンベアの動作状態が変化するごとに前記動作状態の情報を前記乗客コンベアの保全情報として記憶すると共に、前記乗客コンベアの安全回路が作動した場合に前記安全回路が作動した時間と前記安全回路の作動時の前記動作状態との情報を前記保全情報として記憶する。前記無線通信部は、前記無線通信端末との間で無線通信可能に設けられると共に、前記記憶部で記憶した前記保全情報を前記無線通信端末に送信可能になっている。前記無線通信端末は、前記保全情報収集装置と前記無線通信部を介して無線通信を行い、前記保全情報収集装置の前記記憶部に記憶された前記保全情報を受信して表示部に表示させる。また、前記無線通信端末は、入力操作部を介して入力される前記保全情報に基づく前記乗客コンベアの点検結果と共に、前記保全情報を前記情報監視サーバへ送信する。また、前記無線通信端末は、前記情報監視サーバから前記点検結果及び前記保全情報に基づく分析結果を受信して前記表示部に表示させる。前記情報監視サーバは、前記無線通信端末から送信される前記点検結果及び前記保全情報に基づいて、前記情報監視サーバに記憶された過去の点検結果及び保全情報と比較した前記分析結果を保存して蓄積し、当該分析結果を前記無線通信端末へ送信する。